(57)【要約】      （修正有）【課題】口の狭いボトルを洗浄し乾燥させるときに、ボトルの中に空気の流れをつくり効率よく乾燥させるボトル乾燥装置を提供する。【解決手段】箱状ベース１と、箱状ベースに垂直に取り付けられた乾燥パイプ２からなる。乾燥パイプ２の上部に空気流通穴２ｂが設けられる。【選択図】図１
0003164240.tif 000002
【実用新案登録請求の範囲】
【請求項１】
箱状ベース１と、前記箱状ベースに垂直に取り付けた乾燥パイプ２とで構成されることを特徴とするボトル乾燥装置。
【請求項２】
前記乾燥パイプ２の上部に空気流通穴２ｂを設けたことを特徴とするボトル乾燥装置。  
【請求項３】
前記乾燥パイプ２の端部は波型に加工され、もう一方の端部は平たんであることを特徴とする請求項１及び請求項２記載のボトル乾燥装置。
【請求項４】
前記空気流通穴２ｂは前記乾燥パイプ２の先端部から見て、等分で４分割された位置で同じ水平面に４ヶ所開けられていることを特徴とする請求項２及び請求項３記載のボトル乾燥装置。
【考案の詳細な説明】
【技術分野】
【０００１】
本考案は、ペットボトル、牛乳ビン、調味料入れ、ワインボトル等のビン、水筒等のボトルを洗浄した場合に効率よく乾燥させるためのボトル乾燥装置に関する。
【背景技術】
【０００２】
市販のペットボトルを飲んだ後、このペットボトルを洗浄して、中に自家製の麦茶等を入れ、これを断熱性の包装材に入れて、水筒代わりの使用することがよく行われている。この場合、洗浄後のペットボトルをよく乾燥させないと細菌が繁殖するおそれがある。また、この場合に限らず、ペットボトル、ビン、水筒等の再使用、再利用する場合、内側までよく洗浄して、よく乾燥させなければならない。ペットボトル等の乾燥のために、従来の針金、プラスチック等でできたコップ立て等にボトルの口を下にして棒状のものに立てるか、たてかけて乾燥するが、ボトルの中の空気が入れ替わらないので、どうしてもボトルの口に近い部分は乾くが、ボトルの底に近い上になった部分に水滴が残ってなかなか乾燥しない。乾燥に時間がかかると衛生的にも問題が残る。
【先行技術文献】
【特許文献】
【０００３】
特開２００６−２１２１７６  
【考案の概要】
【考案が解決しようとする課題】
【０００４】
市販のペットボトルを飲んだ後、このペットボトルを洗浄して、再利用する場合、内側までよく洗浄して、よく乾燥させなければならない。ペットボトルの乾燥のために、従来の針金、プラスチック等でできたコップ立て等にボトルの口を下にして逆さに立てるか、逆さにたてかけて乾燥するが、ペットボトルは口が小さいのでペットボトルの中での空気の入れ替わりがほとんどされない。そのため、どうしてもボトルの口に近い部分は乾くが、ボトルの底に近い上になった部分に水滴が残ってなかなか乾燥しない。どうしても口の狭いボトルは乾燥しにくい。乾燥に時間がかかると衛生的にも問題が残る。
【０００５】
本考案の目的は、ペットボトル、ビン、水筒等のボトルを洗浄した場合に、ボトルを自然の空気の流れを利用して効率的に乾燥させる装置の提供にある。
【課題を解決するための手段】
【０００６】
従来のボトル乾燥装置は、ボトルの底の部分が上なるように逆さの状態で棒状のものにボトルの口をさして乾燥している。この方法だとボトルの中の空気の移動がほとんどない。空気が移動することで乾燥する。本考案のボトル乾燥装置によれば、ボトルの中に自然の空気の流れをつくることで効率的に乾燥させる。
【０００７】
本考案はボトルを支える乾燥パイプ、乾燥パイプを支える箱状のベース、乾燥パイプと箱状のベースを連結するフランジで構成されている。箱状ベースの底から入った空気が、フランジで垂直に連結された乾燥パイプを通って乾燥パイプの先端部からボトルの中に入り、ボトルの口の部分から放出される、この一連の空気の流れが効率の良い乾燥を実現する。
【考案の効果】
【０００８】
従来のボトル乾燥装置は、ボトルの底の部分が上なるように逆さの状態で棒状のものにボトルの口をさして乾燥さしている。この方法だとボトルの温度が上がって、ボトルの中の水滴が水蒸気になっても、空気の流れがほとんどない、ペットの空気が入れ替わらないので、ボトルの温度が下がると水蒸気が水滴に戻り、ボトルの上部（上になっている底の部分）に付着する。ボトルの中に空気の流れをつくる、すなわちボトルの中の空気が入れ替わることが必要である。
【０００９】
本考案のボトル乾燥装置によれば、本来乾きにくいペットボトル等が自然の空気の流れによって効率的に乾く、箱状ベース１の底の部分から入った空気は日の当たるところでは暖められる。暖められた空気は乾燥パイプ２の中を通り、乾燥パイプ２aの先端の部分の穴のあいた所からペットボトルの中に流れる、ペットボトルに流れ込んだ空気はペットボトルの口の部分から放出される。この一連の空気の流れがペットボトルを効率よく乾燥する。
【００１０】
設置する場所、環境によって乾燥する時間は当然変わってくる。条件が悪くても、わずかな温度差、わずかな空気の流れによってボトルの中に空気の流れができる。
【図面の簡単な説明】
【００１１】
【図１】本考案のペットボトル乾燥装置の一実施例を示す正面図である。
【図２】本考案によるペットボトル乾燥装置を示す空気の流れを表す図である。
【図３】本考案によるペットボトル乾燥装置を示す分解図である。
【図４】本考案によるペットボトル乾燥装置を使って日の当たる所での実験中の写真。
【考案を実施するための形態】
【００１２】
図１を詳しく説明する。乾燥パイプ２は箱状ベース１にフランジ６で垂直に固定されていて、箱状ベース１の底部１aは、底がない状態で、地面から隙間をあけ、空気が底の部分から入る。乾燥パイプ２の先端部２aは空気が出やすいように加工し、空気が放射状に出る。
【００１３】
図２の説明をする。破線の矢印は空気の流れを示している。空気が箱状ベース底部１aから入り、フランジに差された乾燥パイプ２を通り、先端部２aの穴の部分からペットボトルの中に入り、ペットボトルの口の部分から放出される。
【実施例】
【００１４】
主にペットボトルを乾燥する装置として説明する。なお他のボトルについても、考え方は同じである。材料は軽くて熱伝導に優れたアルミ材を使用し、熱を吸収しやすいように黒色塗装した。室内でも効率よく乾燥するが、本体を日が当たる風通しのよいところに置くと短時間で効率よく乾燥する。なお材質についてはここではアルミを使用したがプラスッチク、樹脂、金属等で水に強く水を吸わない材質であればよい。
【００１５】
箱状ベース１にフランジ６を2ヶ所取り付けペットボトル２本乾燥できるようにした。箱状ベース１は板状でも良いが、箱にして日の当たるところでは、箱の中の空気が暖められ、乾燥パイプ２を通って上に流れやすいようにした。  
【００１６】
箱状ベース１に取り付けたフランジ６は４本のビスで固定し、乾燥パイプ２をフランジ６に垂直に差し込むかたちで固定される。
【００１７】
乾燥パイプ２は抜き差しが簡単にできるようにして、乾燥パイプ２の長さを替えることでいろいろな大きさのボトルに対応できるようにした。ここではアダプタ３で長さを調整した。乾燥パイプ２の長さは、ボトルの高さプラス５センチの程度、パイプの直径は１５ミリのものを使用した。（13ｍｍから15ｍｍぐらいがよい）
【００１８】
箱状ベース底部１aは無数の穴があり、ゴム足５をつけて地面から隙間をあけ、空気が底の部分から入る。箱状ベース底部１aは空気が入れば良い。
【００１９】
乾燥パイプ先端部２aは波型に加工し、先端２センチのところに水平に4ヶ所、2段で計8個の穴をあけ、空気がパイプの先端と8個の穴から出る。乾燥パイプ先端部２aは先端と先端２センチぐらいのところから空気が出るようにしておけばよい。
【００２０】
実施例においては乾燥パイプの先端部２aは波形に加工したが、ボトル底面が乾燥パイプ先端に触れた際に、空気の流通があるように隙間が発生する構造であれば良く、例えば凸形で有っても良い。また、空気流通穴２ｂは、本実施例では2段で、一つの水平面に４個、計８個の穴を設けたが、この空気流通穴２ｂの数は８個にこだわるものではなく、目的である空気の流通が十分に機能する数であれば良い。空気流通穴の径についても同様である。
【００２１】
図３は分解図である。それぞれのパーツが簡単に取り外しできるようにした。
【００２２】
図４は本考案によるペットボトル乾燥装置を日の当たる所（気温は30度、風速０〜０．５ｍ）での実験中の写真である。向かって左側の乾燥パイプ先端部２aはテープを巻いて空気の出る穴を塞いでいる。ペットボトルを洗浄して乾かし始めて４０分が経過した状態である。左側のペットボトルは水滴が残っているが、右側のペットボトルは乾燥しているのがわかる。設置場所によって当然乾燥する時間は変わるが、どんな条件の所で実験しても常に右側のペットボトル（乾燥パイプ先端部をテープで塞いでない方）が早く乾燥した。
【符号の説明】
【００２３】
１    箱状ベース
１a  箱状ベース底部
２    乾燥パイプ（500mＬペットボトル用）
２a   乾燥パイプ先端部  
２ｂ  空気流通穴
３    乾燥パイプ２Lペットボトル用アダプタ
４    ペットボトル
５    ゴム足
６    フランジ
７    ビス
【図１】
0003164240.tif 000003
【図２】
0003164240.tif 000004
【図３】
0003164240.tif 000005
【図４】
0003164240.tif 000006